(57)【要約】【課題】少ない部品点数で照明器具等の器具の本体とカバーとを安全に連結する。【解決手段】照明器具１のばね６０は、少なくとも２箇所が屈曲している１対の腕部と１対の腕部が開く方向に弾性力を保持するコイル部とを有する。１対の腕部が閉じた状態でばね６０がカバー固定部１４の１対の引掛片の間に挿入されると、１対の腕部の１番目及び２番目に屈曲している箇所の間がコイル部の弾性力によって１対の引掛片の互いに対向する面を押圧してばね６０が保持されることで反射カバー部５０が半装着状態で本体ケース１０に固定される。ばね６０が押し上げられると、１対の腕部の２番目に屈曲している箇所及び根元の間の部分がコイル部の弾性力によって１対の引掛片の互いに対向する面を摺動して１対の腕部が徐々に開きながらばね６０が上方に移動することで反射カバー部５０が装着状態で本体ケース１０に固定される。【選択図】図２
2015118780.tif 000002
【特許請求の範囲】
【請求項１】
器具の本体と前記本体の下側に装着されるカバーとを連結する連結機構において、
先端から根元に向かって少なくとも２箇所が屈曲している１対の腕部と、前記１対の腕部の根元同士を接続し、前記１対の腕部が開く方向に弾性力を保持する接続部とを有し、前記カバーに設けられるばねと、
前記本体に設けられ、前記ばねが引っ掛けられることで前記本体に前記カバーを固定するカバー固定部と
を備えることを特徴とする連結機構。
【請求項２】
前記１対の腕部は、先端から１番目及び２番目に屈曲している箇所の屈曲方向が逆であることを特徴とする請求項１の連結機構。
【請求項３】
前記１対の腕部は、先端から根元に向かって３箇所が屈曲していることを特徴とする請求項１の連結機構。
【請求項４】
前記１対の腕部は、先端から１番目及び２番目に屈曲している箇所の屈曲方向が逆であり、２番目及び３番目に屈曲している箇所の屈曲方向が逆であることを特徴とする請求項３の連結機構。
【請求項５】
前記１対の腕部は、先端から根元に向かって４箇所以上が屈曲していることを特徴とする請求項１の連結機構。
【請求項６】
前記１対の腕部は、先端から１番目及び２番目に屈曲している箇所の屈曲方向が逆であり、２番目及び３番目に屈曲している箇所の屈曲方向が逆であり、３番目以降に屈曲している箇所の屈曲方向が同じであることを特徴とする請求項５の連結機構。
【請求項７】
前記カバー固定部は、前記１対の腕部が開いた状態における前記１対の腕部の先端間の距離よりも短い間隔で互いに離れている１対の引掛片を有し、
前記１対の腕部が閉じた状態で前記ばねが前記１対の引掛片の間に挿入されて前記１対の腕部の先端及び１番目に屈曲している箇所が前記１対の引掛片の間を通過すると、前記１対の腕部の１番目及び２番目に屈曲している箇所の間の少なくとも一部が前記接続部の弾性力によって前記１対の引掛片の互いに対向する面を押圧して前記ばねが保持されることで前記カバーが半装着状態で前記本体に固定され、さらに前記ばねが押し上げられて前記１対の腕部の２番目に屈曲している箇所が前記１対の引掛片の間を通過すると、前記１対の腕部の２番目に屈曲している箇所及び根元の間の部分が前記接続部の弾性力によって前記１対の引掛片の互いに対向する面を摺動して前記１対の腕部が徐々に開きながら前記ばねが上方に移動することで前記カバーが装着状態で前記本体に固定されることを特徴とする請求項１から６のいずれかの連結機構。
【請求項８】
請求項１から７のいずれかの連結機構によって連結される本体とカバーとを備えることを特徴とする照明器具。
【発明の詳細な説明】
【技術分野】
【０００１】
本発明は、連結機構及び連結機構を用いた照明器具に関するものである。
【背景技術】
【０００２】
従来、天井に埋め込まれて使用される照明器具では、天井に設けられた取付孔に光源部や点灯装置等を収納して保護する本体ケースが嵌め込まれ、ボルト等で固定された後に、本体ケースに透光部や反射部等を備えたカバーが取り付けられる。
【０００３】
カバーの取り付け方法としては、カバーにＶ字状に曲げられた線ばね（Ｖばね）を用いるものがある。この方法では、カバーに設けられたＶばねが圧縮された状態（閉じた状態）で本体ケースに設けられた取付孔に引っ掛けられた後、Ｖばねが圧縮力に対する反力（開く力）により取付孔周縁を摺り上がることで、カバーが本体ケースに取り付けられる（例えば、特許文献１参照）。
【０００４】
従来、天井に埋め込まれて使用されるルーバー付きの換気装置では、Ｖばねの先端部とコイル部との間に設けられたルーバー取付部が換気装置本体に取り付けられた後に、Ｖばねが摺動させられることで、ルーバーが換気装置本体に取り付けられる（例えば、特許文献２参照）。
【先行技術文献】
【特許文献】
【０００５】
【特許文献１】特開平１１−７８２２号公報
【特許文献２】特開２００９−２９３８５６号公報
【発明の概要】
【発明が解決しようとする課題】
【０００６】
特許文献１に記載されているＶばねは、取付孔に引っ掛けられると、弾発力（開く力）により即座に取付孔周縁を摺り上がっていってしまう。そのため、複数のＶばねを用いてカバーを本体ケースに取り付ける際に、Ｖばねを取付孔に引っ掛けた順にカバーが部分的に引っ張り上げられていき、カバーが変形する（歪む）可能性があるという課題があった。また、Ｖばねの弾発力が強いと摺り上がる速度も速く、作業者がカバーと本体ケースの間に指を挟むおそれがあるという課題があった。
【０００７】
特許文献２に記載されている換気装置では、Ｖばねとは別にルーバー取付部が必須であり、結果として部品点数が増えしまうという課題があった。また、ルーバー取付部の内部形状がＶばねの一部と同じになっているため、ルーバーのサイズが大きくなったり、換気装置本体が小さく或いは浅くなったりする等、製品条件が変更された場合に、Ｖばねやルーバー取付部の形状も変更しなくてはならないという課題があった。換気装置本体が小型化されると、ルーバー取付部が設置できなくなることも考えられる。
【０００８】
本発明は、例えば、少ない部品点数で照明器具等の器具の本体とカバーとを安全に連結することを目的とする。
【課題を解決するための手段】
【０００９】
本発明の一の態様に係る連結機構は、
器具の本体と前記本体の下側に装着されるカバーとを連結する連結機構であって、
先端から根元に向かって少なくとも２箇所が屈曲している１対の腕部と、前記１対の腕部の根元同士を接続し、前記１対の腕部が開く方向に弾性力を保持する接続部とを有し、前記カバーに設けられるばねと、
前記本体に設けられ、前記ばねが引っ掛けられることで前記本体に前記カバーを固定するカバー固定部とを備える。
【発明の効果】
【００１０】
本発明では、先端から根元に向かって少なくとも２箇所が屈曲している１対の腕部と、前記１対の腕部の根元同士を接続し、前記１対の腕部が開く方向に弾性力を保持する接続部とを有するばねをカバーに設けることにより、少ない部品点数で照明器具等の器具の本体とカバーとを安全に連結することが可能となる。
【図面の簡単な説明】
【００１１】
【図１】実施の形態１に係る照明器具の斜視図。
【図２】実施の形態１に係る照明器具の分解斜視図。
【図３】実施の形態１に係る照明器具のカバー固定部の斜視図。
【図４】実施の形態１に係る照明器具の保持部の斜視図。
【図５】実施の形態１に係る照明器具のばねの正面図。
【図６】実施の形態１に係る照明器具の本体とカバーとをばねにより連結する手順を示す図。
【図７】実施の形態１に係る照明器具の本体とカバーとをばねにより連結する手順を示す図。
【図８】実施の形態１に係る照明器具の本体とカバーとをばねにより連結する手順を示す図。
【図９】実施の形態１に係る照明器具の本体とカバーとをばねにより連結する手順を示す図。
【図１０】実施の形態２に係る照明器具のばねの正面図。
【図１１】実施の形態３に係る照明器具のばねの正面図。
【発明を実施するための形態】
【００１２】
以下、本発明の実施の形態について、図を用いて説明する。なお、実施の形態の説明において、「左」、「右」、「前」、「後」、「表」、「裏」といった方向は、説明の便宜上、そのように記しているだけであって、装置、器具、部品等の配置や向き等を限定するものではない。
【００１３】
実施の形態１．
図１は、本実施の形態に係る照明器具１の斜視図である。
【００１４】
照明器具１は、天井等の被取付面に設けられた埋込穴に本体を挿入して設置される、埋込型の照明器具である。図１に示すように、照明器具１は、本体ケース１０（本体）と、光源部２０と、反射カバー部５０（カバー）とを備える。
【００１５】
図２は、照明器具１の分解斜視図である。図３は、照明器具１のカバー固定部１４の斜視図である。図４は、照明器具１の保持部５３の斜視図である。図５は、照明器具１のばね６０の正面図である。
【００１６】
図２に示すように、照明器具１は、さらに、電源部３０と、端子台４０と、ばね６０（取付ばね）とを備える。本体ケース１０は、被取付面に形成された埋込穴に埋め込まれる。本体ケース１０は、１つの面（下面）が開口されている。光源部２０と電源部３０と端子台４０は、本体ケース１０に取り付けられる。電源部３０は、光源部２０と電線で接続される。端子台４０は、電源部３０と電線で接続される。反射カバー部５０は、電源部３０及び端子台４０を覆うように本体ケース１０に取り付けられる。ばね６０は、反射カバー部５０に取り付けられ、本体ケース１０と反射カバー部５０とを連結させる。
【００１７】
本体ケース１０は、略箱形状をしており、中心からみて上方（埋込穴へ挿入される方向）に上面部１１、下方（上面部１１と反対方向）に開口部１２、側方（左右前後方向）に側面部１３が形成されている。
【００１８】
上面部１１には、締結孔１１ａと、電線引込孔１１ｂとが形成されている。締結孔１１ａには、被取付面の埋込穴の内側（被取付部）に配設されているボルト等の固定材（図示していない）が挿入され、この固定材によって本体ケース１０が被取付部と締結される。電線引込孔１１ｂは、商用電源と電源部３０とを接続する電線を引き込むためのものである。なお、上面部１１には、ほかにも、電源部３０を本体ケース１０に取り付けるための電源取付孔、端子台４０を本体ケース１０に固定するための端子台固定孔等が形成されている。
【００１９】
開口部１２は、上面部１１と対向しており、上面部１１と略同じ大きさで形成されている。開口部１２の周囲には、鍔状の当接部１２ａが形成されている。当接部１２ａは、本体ケース１０が締結孔１１ａを介して被取付部に固定されたときに、被取付面に当接する。
【００２０】
側面部１３は、四方（左右前後方向）に存在するが、そのうち対向する２方向（左右又は前後方向）の側面部１３ａ，１３ｂには、反射カバー部５０を取り付けるためのカバー固定部１４が２つずつ取り付けられている。
【００２１】
図３に示すように、カバー固定部１４は、断面が略Ｌ字形になっている。カバー固定部１４は、長手状の固定板１４ａと、１対の引掛片１４ｂとを有する。固定板１４ａには、４つの固定孔１４ｃが形成されている。固定板１４ａは、側面部１３に当接し、固定孔１４ｃを介してねじ等の固定具（図示していない）で側面部１３に固定される。引掛片１４ｂは、固定板１４ａの長手方向の両端下側から１つずつ、固定板１４ａの板面に対して略垂直方向に設けられている。引掛片１４ｂには、切欠部１４ｄが形成されている。１対の引掛片１４ｂの切欠部１４ｄは、互いに向き合っており、その間に長孔が形成されたような形状になっている。即ち、切欠部１４ｄは、長孔の長手方向の端に相当する形状になっている。切欠部１４ｄには、本体ケース１０と反射カバー部５０とを連結するために、後述する手順でばね６０が引っ掛けられる。切欠部１４ｄをなす壁面部は、下方（引掛片１４ｂに対して固定板１４ａがある方向と反対方向）に突出した引掛誘導部１４ｅになっている。
【００２２】
光源部２０は、ＬＥＤユニット（図示していない）と、光源保持部（図示していない）と、光源部カバー部２３と、光源部コネクタ２４とを有する。ＬＥＤユニットは、ＬＥＤとＬＥＤが実装されている基板部とからなる。光源保持部には、ＬＥＤユニットが取り付けられる。光源部カバー部２３は、光源保持部にＬＥＤユニットを覆うように取り付けられる。光源部コネクタ２４は、電源部３０と接続する。
【００２３】
電源部３０は、端子台４０を介して商用電源からの電力を光源部２０に供給し、光源部２０のＬＥＤを点灯させる。電源部３０は、略直方体形状をした電源本体部３１と、光源部コネクタ２４と接続する電源コネクタ３２とを有する。なお、電源部３０は、前述した電源取付孔を介して、ねじにより本体ケース１０に取り付けられている。
【００２４】
端子台４０は、商用電源から供給される電力を電源部３０へ供給する。
【００２５】
反射カバー部５０は、枠部５１と、反射部５２と、２つの保持部５３（ばね受具）と、４つのばね６０とを有する。枠部５１は、ロ字状に形成されている。反射部５２は、枠部５１に囲まれている。保持部５３は、ばね６０を保持している。ばね６０は、反射カバー部５０を本体ケース１０に連結する。
【００２６】
枠部５１は、１対の傾斜枠部５１ａと１対の横枠部５１ｂとがロ字状に組み合わされて構成されている。１対の傾斜枠部５１ａの互いに向かい合う面は、本体ケース１０の方向（上方）に向かって互いに近づくように斜めに傾斜している。１対の横枠部５１ｂの互いに向かい合う面は、垂直方向に延びるように形成されている。
【００２７】
反射部５２は、断面が略山形であり、向かい合う傾斜枠部５１ａの間に配置され、横枠部５１ｂに固定されている。向かい合う傾斜枠部５１ａと反射部５２の間には、それぞれ光源部２０が嵌まり込む光源開口部５２ａが形成されている。
【００２８】
図４に示すように、保持部５３は、ばね６０を保持するための保持面部５３ａと、保持面部５３ａの長手方向の１辺より垂直に形成された垂直面部５３ｂと、保持面部５３ａの短手方向の両辺より垂直面部５３ｂと反対方向へ形成された取付面部５３ｃとを有する。保持面部５３ａには、ばね６０を２つ保持するために、切り欠き加工されて形成されたばね差込部５３ｄが２つ形成されている。
【００２９】
保持部５３は、保持面部５３ａが本体ケース１０側を向くように傾斜枠部５１ａの本体ケース１０側に配置され、垂直面部５３ｂが傾斜枠部５１ａに当接し、取付面部５３ｃが横枠部５１ｂに固定されることで、枠部５１に取り付けられる。ばね６０は、ばね差込部５３ｄに差し込まれて保持される。
【００３０】
図５に示すように、ばね６０は、ばね鋼板等の弾性を有した部材を曲げ加工して成形されている。ばね６０は、環状に巻き回しされたコイル部６１（接続部）と、コイル部６１の両端をＶ字状に延出させて形成された１対の腕部６２とを有する。
【００３１】
コイル部６１は、１対の腕部６２の根元同士を接続し、１対の腕部６２が開く方向に弾性力を保持する。
【００３２】
腕部６２は、第１の支点６２ａと、第２の支点６２ｂと、第３の支点６２ｃにて曲げ加工が施されている。即ち、腕部６２は、先端から根元に向かって３箇所が屈曲している。腕部６２の先端から第１の支点６２ａの間には先端部６２ｄ、第１の支点６２ａから第２の支点６２ｂの間には中間部６２ｅ、第２の支点６２ｂから第３の支点６２ｃの間には第１の摺動部６２ｆ、第３の支点６２ｃから根元の間には第２の摺動部６２ｇが形成されている。
【００３３】
１対の腕部６２に対してコイル部６１の環状部分がある側（腕部６２の間）を腕部６２の「内側」としたとき、それぞれの腕部６２は、第１の支点６２ａでは「内側」に屈曲し、第２の支点６２ｂでは「外側」に屈曲し、第３の支点６２ｃでは「内側」に屈曲している。即ち、腕部６２の先端から１番目及び２番目に屈曲している箇所（第１の支点６２ａ及び第２の支点６２ｂ）の屈曲方向は逆になっており、２番目及び３番目に屈曲している箇所（第２の支点６２ｂ及び第３の支点６２ｃ）の屈曲方向も逆になっている。
【００３４】
第１の支点６２ａの屈曲角度は、約９０度である。第２の支点６２ｂ及び第３の支点６２ｃの屈曲角度は、９０度より大きく、望ましくは１２０度より大きいものとする。
【００３５】
ばね６０は、コイル部６１が保持部５３に形成されたばね差込部５３ｄに差し込まれ、保持部５３と傾斜枠部５１ａとに挟まれることで、保持されている。
【００３６】
本実施の形態では、本体ケース１０に設けられたカバー固定部１４と、本体ケース１０の下側に装着される反射カバー部５０に設けられたばね６０とが、連結機構を構成しており、ばね６０がカバー固定部１４に引っ掛けられることで、本体ケース１０に反射カバー部５０が固定（連結）される。
【００３７】
以下、照明器具１の本体ケース１０と反射カバー部５０とをばね６０により連結する手順について説明する。
【００３８】
図６は、ばね６０をカバー固定部１４に取り付けるに腕部６２を閉じた状態を正面視（図６の左側）及び斜視（図６の右側）で示している。図７は、ばね６０が弾性力によりカバー固定部１４に保持されている状態を正面視（図７の左側）及び斜視（図７の右側）で示している。図８は、ばね６０がカバー固定部１４を摺動している状態を正面視（図８の左側）及び斜視（図８の右側）で示している。図９は、ばね６０がカバー固定部１４に上まで取り付けられて本体ケース１０と反射カバー部５０が固定された状態を正面視（図９の左側）及び斜視（図９の右側）で示している。
【００３９】
まず、図６において、ばね６０の１対の腕部６２は、それぞれの対向する先端部６２ｄがカバー固定部１４の２つの切欠部１４ｄの間に挿入可能になるまで、コイル部６１を中心として回転移動させられる（閉じられる）。そして、それぞれの先端部６２ｄが２つの切欠部１４ｄの間に挿入される。
【００４０】
次に、図７において、ばね６０の１対の腕部６２は、それぞれの先端部６２ｄが２つの切欠部１４ｄの間に挿入された後に、コイル部６１の弾性復元力により、それぞれの中間部６２ｅが切欠部１４ｄの周縁及び引掛誘導部１４ｅに当接するまで広がる。このとき、腕部６２の中間部６２ｅは、切欠部１４ｄの周縁及び引掛誘導部１４ｅに対して平行になっているか、或いは、上端（第１の支点６２ｃ）よりも下端（第２の支点６２ｄ）が「外側」（引掛誘導部１４ｅ側）に位置するように傾斜している。また、腕部６２の中間部６２ｅは、コイル部６１の弾性復元力により、切欠部１４ｄ及び引掛誘導部１４ｅを水平方向若しくは斜め上方向へ押圧している。これにより、ばね６０がカバー固定部１４に一時的に保持される。
【００４１】
したがって、切欠部１４ｄの間に腕部６２の先端部６２ｄが挿入された後、ばね６０が勝手に摺り上がることがないため、作業者が本体ケース１０と反射カバー部５０との間に手を挟んだり、反射カバー部５０の一部が変形したりするといった事態を回避することができる。また、下方向へ過負荷がかかっても、先端部６２ｄが切欠部１４ｄに係合しているため、反射カバー部５０の落下を防ぐことができる。
【００４２】
次に、図８において、ばね６０は、腕部６２の中間部６２ｅが切欠部１４ｄ及び引掛誘導部１４ｅを押圧することでカバー固定部１４に一時的に保持された状態から、コイル部６１側からカバー固定部１４の方向（上方）へ押されることにより一時保持状態が解徐され、腕部６２の第１の摺動部６２ｆ、第２の摺動部６２ｇが切欠部１４ｄの周縁を摺り上がっていく。このとき、腕部６２の摺動部が、第１の摺動部６２ｆ及び第２の摺動部６２ｇの２つで構成されているため（腕部６２の第２の支点６２ｂ及び第３の支点６２ｃの屈曲方向が逆になっているため）、腕部６２の摺動に必要な上方空間の高さを低くすることができる。
【００４３】
最後に、図９において、ばね６０の１対の腕部６２は、それぞれの第１の摺動部６２ｆ、第２の摺動部６２ｇが切欠部１４ｄの周縁を摺り上がって２つの切欠部１４ｄの間に全体が挿入される。これにより、反射カバー部５０は、枠部５１により本体ケース１０の当接部１２ａを覆い、光源開口部５２ａに光源部２０が嵌め込まれ、本体ケース１０と連結される。
【００４４】
本実施の形態では、図６に示したように、カバー固定部１４の１対の引掛片１４ｂ（特に、切欠部１４ｄ）は、ばね６０の１対の腕部６２が開いた状態における１対の腕部６２の先端間の距離Ａよりも短い間隔Ｂで互いに離れている。
【００４５】
１対の腕部６２が閉じた状態でばね６０が１対の引掛片１４ｂの間に挿入されて１対の腕部６２の先端及び１番目に屈曲している箇所（即ち、先端部６２ｄの全体）が１対の引掛片１４ｂの間を通過すると、図７に示したように、１対の腕部６２の１番目及び２番目に屈曲している箇所の間（即ち、中間部６２ｅ）の少なくとも一部がコイル部６１の弾性力によって１対の引掛片１４ｂの互いに対向する面（即ち、切欠部１４ｄ及び引掛誘導部１４ｅの壁面）を押圧してばね６０が保持されることで反射カバー部５０が半装着状態で本体ケース１０に固定される。
【００４６】
さらに、ばね６０が押し上げられて１対の腕部６２の２番目に屈曲している箇所（即ち、中間部６２ｅの全体）が１対の引掛片１４ｂの間を通過すると、図８及び図９に示したように、１対の腕部６２の２番目に屈曲している箇所及び根元の間の部分（即ち、第１の摺動部６２ｆ及び第２の摺動部６２ｇ）がコイル部６１の弾性力によって１対の引掛片１４ｂの互いに対向する面（即ち、切欠部１４ｄ及び引掛誘導部１４ｅの壁面）を摺動して１対の腕部６２が徐々に開きながらばね６０が上方に移動することで反射カバー部５０が（完全な）装着状態で本体ケース１０に固定される。
【００４７】
以上説明したように、本実施の形態では、本体ケース１０と反射カバー部５０が、切欠部１４ｄ及び引掛誘導部１４ｅを押圧するための中間部６２ｅが形成されたばね６０により連結されることで、作業者が本体ケース１０と反射カバー部５０との間に手を挟んだり、反射カバー部５０の一部が変形したりするといった事態を避けることができる。中間部６２ｅは、ばね６０の一部であるため、部品点数が増えない。つまり、本実施の形態によれば、少ない部品点数で本体ケース１０と反射カバー部５０とを安全に連結することができる。
【００４８】
ばね６０は、ばね６０の対向する第２の支点６２ｂの距離が、中間部６２ｅが切欠部１４ｄの周縁に当接しているときに切欠部１４ｄの挿入幅、及び対向する第１の支点６２ａの距離と同じか、若しくは、それよりも長くなるため、カバー固定部１４によって保持される。
【００４９】
ばね６０は、第１の摺動部６２ｆ、第２の摺動部６２ｇを有している（腕部６２の第３の支点６２ｃが第２の支点６２ｂと逆方向に屈曲している）ことにより、連結時の腕部６２の摺り上がる高さを低くすることができる。これにより、本体ケース１０の高さも低くすることができる。
【００５０】
なお、本実施の形態では、本体ケース１０に反射カバー部５０が装着される際に、光源部２０、電源部３０が本体ケース１０に収納され、反射部５２が反射カバー部５０に備えられた状態になっているが、各部品は本体ケース１０と反射カバー部５０とのいずれに取り付けられて（或いは備えられて）いてもよい。また、ばね６０、カバー固定部１４等の部品の数は適宜変更することができる。
【００５１】
照明器具１は器具の例であり、本実施の形態に係る連結機構は照明器具１以外の器具（例えば、天井に埋め込んで使用される換気装置）の本体とカバー（ルーバー等を含む）とを連結するために使用することもできる。
【００５２】
実施の形態２．
本実施の形態について、主に実施の形態１との差異を説明する。
【００５３】
本実施の形態では、照明器具１のばね６０の形状のみが実施の形態１と異なる。
【００５４】
図１０は、本実施の形態に係る照明器具１のばね６０の正面図である。
【００５５】
図１０に示すように、ばね６０は、実施の形態１と同様のコイル部６１（接続部）と、屈曲している箇所の数が実施の形態１と異なる１対の腕部６２とを有する。
【００５６】
腕部６２は、第１の支点６２ａと、第２の支点６２ｂにて曲げ加工が施されている。即ち、腕部６２は、先端から根元に向かって２箇所が屈曲している。腕部６２の先端から第１の支点６２ａの間には先端部６２ｄ、第１の支点６２ａから第２の支点６２ｂの間には中間部６２ｅ、第２の支点６２ｂから根元の間には摺動部６２ｈが形成されている。
【００５７】
１対の腕部６２に対してコイル部６１の環状部分がある側（腕部６２の間）を腕部６２の「内側」としたとき、それぞれの腕部６２は、第１の支点６２ａでは「内側」に屈曲し、第２の支点６２ｂでは「外側」に屈曲している。即ち、腕部６２の先端から１番目及び２番目に屈曲している箇所（第１の支点６２ａ及び第２の支点６２ｂ）の屈曲方向は逆になっている。
【００５８】
このように、ばね６０は、腕部６２ごとに１つのみの摺動部を有していてもよい。なお、摺動部６２ｈは、円弧形状等に湾曲していてもよい。その場合、摺動部６２ｈが「内側」に湾曲していることが望ましい。即ち、腕部６２の根元の最も近くで屈曲している箇所の屈曲方向（第２の支点６２ｂ）と摺動部６２ｈの湾曲方向は逆になっていることが望ましい。腕部６２の摺動部６２ｈが第２の支点６２ｂと逆方向に湾曲していることにより、本体ケース１０と反射カバー部５０との連結時の腕部６２の摺り上がる高さを低くすることができる。これにより、本体ケース１０の高さも低くすることができる。
【００５９】
実施の形態３．
本実施の形態について、主に実施の形態１との差異を説明する。
【００６０】
本実施の形態では、照明器具１のばね６０の形状のみが実施の形態１と異なる。
【００６１】
図１１は、本実施の形態に係る照明器具１のばね６０の正面図である。
【００６２】
図１１に示すように、ばね６０は、実施の形態１と同様のコイル部６１（接続部）と、屈曲している箇所の数が実施の形態１と異なる１対の腕部６２とを有する。
【００６３】
腕部６２は、第１の支点６２ａと、第２の支点６２ｂと、第３の支点６２ｃと、第４の支点６２ｉにて曲げ加工が施されている。即ち、腕部６２は、先端から根元に向かって４箇所が屈曲している。腕部６２の先端から第１の支点６２ａの間には先端部６２ｄ、第１の支点６２ａから第２の支点６２ｂの間には中間部６２ｅ、第２の支点６２ｂから第３の支点６２ｃの間には第１の摺動部６２ｆ、第３の支点６２ｃから第４の支点６２ｉの間には第２の摺動部６２ｇ、第４の支点６２ｉから根元の間には第３の摺動部６２ｊが形成されている。
【００６４】
１対の腕部６２に対してコイル部６１の環状部分がある側（腕部６２の間）を腕部６２の「内側」としたとき、それぞれの腕部６２は、第１の支点６２ａでは「内側」に屈曲し、第２の支点６２ｂでは「外側」に屈曲し、第３の支点６２ｃでは「内側」に屈曲し、第４の支点６２ｉでは「内側」に屈曲している。即ち、腕部６２の先端から１番目及び２番目に屈曲している箇所（第１の支点６２ａ及び第２の支点６２ｂ）の屈曲方向は逆になっており、２番目及び３番目に屈曲している箇所（第２の支点６２ｂ及び第３の支点６２ｃ）の屈曲方向も逆になっているが、３番目以降に屈曲している箇所（第３の支点６２ｃ及び第４の支点６２ｉ）の屈曲方向は同じになっている。
【００６５】
このように、ばね６０は、腕部６２ごとに３つ以上の摺動部を有していてもよい。即ち、腕部６２は、先端から根元に向かって４箇所以上が屈曲していてもよい。腕部６２の第３の支点６２ｃ以降が第２の支点６２ｂと逆方向に湾曲していることにより、本体ケース１０と反射カバー部５０との連結時の腕部６２の摺り上がる高さを低くすることができる。これにより、本体ケース１０の高さも低くすることができる。
【００６６】
以上、本発明の実施の形態について説明したが、これらの実施の形態のうち、２つ以上を組み合わせて実施しても構わない。或いは、これらの実施の形態のうち、１つを部分的に実施しても構わない。或いは、これらの実施の形態のうち、２つ以上を部分的に組み合わせて実施しても構わない。なお、本発明は、これらの実施の形態に限定されるものではなく、必要に応じて種々の変更が可能である。
【符号の説明】
【００６７】
１  照明器具、１０  本体ケース、１１  上面部、１１ａ  締結孔、１１ｂ  電線引込孔、１２  開口部、１２ａ  当接部、１３，１３ａ，１３ｂ  側面部、１４  カバー固定部、１４ａ  固定板、１４ｂ  引掛片、１４ｃ  固定孔、１４ｄ  切欠部、１４ｅ  引掛誘導部、２０  光源部、２３  光源部カバー部、２４  光源部コネクタ、３０  電源部、３１  電源本体部、３２  電源コネクタ、４０  端子台、５０  反射カバー部、５１  枠部、５１ａ  傾斜枠部、５１ｂ  横枠部、５２  反射部、５２ａ  光源開口部、５３  保持部、５３ａ  保持面部、５３ｂ  垂直面部、５３ｃ  取付面部、５３ｄ  ばね差込部、６０  ばね、６１  コイル部、６２  腕部、６２ａ  第１の支点、６２ｂ  第２の支点、６２ｃ  第３の支点、６２ｄ  先端部、６２ｅ  中間部、６２ｆ  第１の摺動部、６２ｇ  第２の摺動部、６２ｈ  摺動部、６２ｉ  第４の支点、６２ｊ  第３の摺動部。
【図１】
2015118780.tif 000003
【図２】
2015118780.tif 000004
【図３】
2015118780.tif 000005
【図４】
2015118780.tif 000006
【図５】
2015118780.tif 000007
【図６】
2015118780.tif 000008
【図７】
2015118780.tif 000009
【図８】
2015118780.tif 000010
【図９】
2015118780.tif 000011
【図１０】
2015118780.tif 000012
【図１１】
2015118780.tif 000013